【手続補正書】
【提出日】平成17年7月20日(2005.7.20)
【手続補正１】
【補正対象書類名】明細書
【補正対象項目名】００３３
【補正方法】変更
【補正の内容】
【００３３】
［実施例２］
図８は本発明の第２実施例にかかる大口径比内焦式望遠ズームレンズの構成を示す図であり、広角端焦点距離かつ無限遠合焦状態における各レンズ群の位置を示している。図示の大口径比内焦式望遠ズームレンズは、物体から順に、物体側に凸形状のメ二スカス負レンズＬ１１と物体側に凸形状のメ二スカス正レンズＬ１２との接合負レンズ、物体側に凸形状のメ二スカス正レンズＬ１３とから成る第１レンズ群Ｇ１の前群Ｇ１Ｆと、物体側に凸形状のメ二スカス負レンズＬ１４、物体側に凸形状のメニスカス正レンズＬ１５とから成る第１レンズ群Ｇ１の後群Ｇ１Ｒと、像側に強い凹面を向けた両凹レンズＬ２１、両凹レンズＬ２２と両凸レンズＬ２３との接合正レンズ、物体側に強い凹面を向けた両凹レンズＬ２４とから成る第２レンズ群Ｇ２と、物体側に凹形状のメニスカス正レンズＬ３１、両凸レンズＬ３２と物体側に凹形状のメニスカス負レンズＬ３３の接合正レンズとから成る第３レンズ群Ｇ３と、開口絞りＳ１と、物体側に凸形状のメ二スカス負レンズＬ４１と両凸レンズＬ４２との接合正レンズ、物体側に凸形状のメ二スカス正レンズＬ４３とから成る第４レンズ群Ｇ４の前群Ｇ４Ｆと、間隔を大きく空けた視野絞りＳ２と、両凸レンズＬ４４と両凹レンズＬ４５との接合負レンズ、両凹レンズＬ４６とから成る第４レンズ群Ｇ４の中群Ｇ４Ｍと、視野絞りＳ３と、物体側に凹形状のメニスカス正レンズＬ４７、両凸レンズＬ４８と物体側に凹形状のメニスカス負レンズＬ４９との接合正レンズとから成る第４レンズ群Ｇ４の後群Ｇ４Ｒとから構成されている。
【手続補正２】
【補正対象書類名】明細書
【補正対象項目名】００３９
【補正方法】変更
【補正の内容】
【００３９】
［実施例３］
図１５は本発明の第３実施例にかかる大口径比内焦式望遠ズームレンズの構成を示す図であり、広角端焦点距離かつ無限遠合焦状態における各レンズ群の位置を示している。図示の大口径比内焦式望遠ズームレンズは、物体から順に、物体側に凸形状のメ二スカス負レンズＬ１１と物体側に凸形状のメ二スカス正レンズＬ１２との接合負レンズ、物体側に凸形状のメ二スカス正レンズＬ１３とから成る第１レンズ群Ｇ１の前群Ｇ１Ｆと、物体側に凸形状のメ二スカス負レンズＬ１４、物体側に凸形状のメニスカス正レンズＬ１５とから成る第１レンズ群Ｇ１の後群Ｇ１Ｒと、像側に強い凹面を向けた両凹レンズＬ２１、両凹レンズＬ２２と両凸レンズＬ２３との接合正レンズ、物体側に凹面形状のメニスカス負レンズＬ２４とから成る第２レンズ群Ｇ２と、物体側に凹形状のメニスカス正レンズＬ３１、両凸レンズＬ３２と物体側に凹形状のメニスカス負レンズＬ３３との接合正レンズとから成る第３レンズ群Ｇ３と、開口絞りＳ１と、物体側に凸形状のメ二スカス負レンズＬ４１と両凸レンズＬ４２との接合正レンズ、物体側に凸形状のメ二スカス正レンズＬ４３とから成る第４レンズ群Ｇ４の前群Ｇ４Ｆと、間隔を大きく空けた視野絞りＳ２と、両凸レンズＬ４４と両凹レンズＬ４５の接合負レンズ、両凹レンズＬ４６とから成る第４レンズ群Ｇ４の中群Ｇ４Ｍと、視野絞りＳ３と、物体側に凹形状のメニスカス正レンズＬ４７、両凸レンズＬ４８と物体側に凹形状のメニスカス負レンズＬ４９との接合正レンズとから成る第４レンズ群Ｇ４の後群Ｇ４Ｒとから構成されている。
【手続補正３】
【補正対象書類名】明細書
【補正対象項目名】００４５
【補正方法】変更
【補正の内容】
【００４５】
［実施例４］
図２２は本発明の第４実施例にかかる大口径比内焦式望遠ズームレンズの構成を示す図であり、広角端焦点距離かつ無限遠合焦状態における各レンズ群の位置を示している。図示の大口径比内焦式望遠ズームレンズは、物体から順に、物体側に凸形状のメ二スカス負レンズＬ１１と物体側に凸形状のメ二スカス正レンズＬ１２との接合負レンズ、物体側に凸形状のメ二スカス正レンズＬ１３とから成る第１レンズ群Ｇ１の前群Ｇ１Ｆと、物体側に凸形状のメ二スカス負レンズＬ１４、物体側に凸形状のメニスカス正レンズＬ１５とから成る第１レンズ群Ｇ１の後群Ｇ１Ｒと、像側に強い凹面を向けた両凹レンズＬ２１、両凹レンズＬ２２と両凸レンズＬ２３との接合正レンズ、物体側に強い凹面を向けた両凹レンズＬ２４とから成る第２レンズ群Ｇ２と、物体側に凹形状のメニスカス正レンズＬ３１、両凸レンズＬ３２と物体側に凹形状のメニスカス負レンズＬ３３との接合正レンズとから成る第３レンズ群Ｇ３と、開口絞りＳ１と、物体側に凸形状のメ二スカス負レンズＬ４１と両凸レンズＬ４２との接合正レンズ、物体側に凸形状のメ二スカス正レンズＬ４３とから成る第４レンズ群Ｇ４の前群Ｇ４Ｆと、間隔を大きく空けた視野絞りＳ２と、両凸レンズＬ４４と両凹レンズＬ４５との接合負レンズ、両凹レンズＬ４６とから成る第４レンズ群Ｇ４の中群Ｇ４Ｍと、視野絞りＳ３と、物体側に凹形状のメニスカス正レンズＬ４７、両凸レンズＬ４８と物体側に凹形状のメニスカス負レンズＬ４９との接合正レンズとから成る第４レンズ群Ｇ４の後群Ｇ４Ｒとから構成されている。
【手続補正４】
【補正対象書類名】明細書
【補正対象項目名】００４８
【補正方法】変更
【補正の内容】
【００４８】
【表４】
（諸元値）
Ｆ＝７１．４０〜１９４．００
ＦＮＯ＝２．９
r         d      νd     nｄ        Φ
1)  142.2465   2.2000  46.58  1.804000 
2)   67.3046   9.0000  82.52  1.497820 
3)  183.1425   0.1000                  
4)   78.3549   8.9000  82.52  1.497820 
5)  662.0168（d5=可変）       
6)   69.1678   1.8000  23.78  1.846660 
7)   56.0679   1.9280                  
8)   68.6795   8.7000  60.09  1.640000 
9) 1882.3507（d9=可変）       
10)-1576.2889   1.9000  52.67  1.741000 
11)   35.7885   6.8180                  
12)  -66.8389   1.8000  70.41  1.487490 
13)   39.0991   7.0000  25.43  1.805180 
14) -284.9403   1.8030                  
15)  -63.6184   1.9000  39.59  1.804400 
16)  533.2561（d16=可変）    
17) -736.6865   3.9000  82.52  1.497820 
18)  -75.2359   0.2000                  
19)   93.1518   8.0000  82.52  1.497820 
20)  -48.4068   2.0000  52.67  1.741000 
21) -150.3566（d21=可変）     
22>    S1       1.0000                  
23)  120.7563   2.0000  25.43  1.805180   ΦG4=39.2
24)   46.4191   7.0000  55.52  1.696800 
25) -354.2982   0.1000                  
26)   77.7663   3.5000  65.47  1.603000 
27)  158.5958  19.0000                  
28)    S2       1.6292                  
29)  376.6169   3.8000  23.78  1.846660 
30)  -57.8860   1.5000  52.67  1.741000 
31)   50.0430   3.9000                  
32) -246.4873   1.5000  52.67  1.741000 
33)  102.2323   2.7482                  
34)    S3       4.0000                  
35) -535.0275   4.0000  82.52  1.497820 
36)  -59.3410   0.1000                  
37)   67.9621   7.5000  52.67  1.741000 
38)  -62.4776   2.0000  23.78  1.846660 
39) -736.2578    Bf
（合焦時における可変間隔）
無限遠                         至近距離
F又はβ 71.4000   105.0000   196.0000   -0.06072   -0.08922   -0.16654
D0         ∞         ∞         ∞    1233.0426  1233.0426  1233.0426
D5      14.76825   14.76825   14.76825    3.93048    3.93048    3.93048
D9       2.00532   18.23122   34.07520   12.84309   29.06899   44.91297
D16     34.71523   26.89757    5.89680   34.71523   26.89757    5.89680
D21      9.92541    1.51717    6.67396    9.92541    1.51717    6.67396
Bf      72.31687   72.31687   72.31687   72.31687   72.31687   72.31687
(条件対応値)
「レンズ諸元」
ＦW         71.4000
ＦT        196.0000
Ｆ１       104.3678
Ｆ１R      160.0000
Ｆ２       -28.8496
Ｆ２３W   -193.7940
Ｆ２３T    -61.2706
Ｆ４       113.7910
Ｎ１５       1.640000
ν１５      60.09
（１）（Ｆ１×Ｆ４）／（｜Ｆ２３W｜×ＦW）          ＝０．８５８
（２）ν１５／（Ｆ１×Ｆ１R×Ｎ１５）              ＝２．１９×１０−３
（３）｜Ｆ２３T｜／｜Ｆ２３W｜                     ＝０．３１６
（４）ＦW／（Ｆ１×｜Ｆ２｜）                      ＝０．０２３７
なお、本実施例において、第４レンズ群Ｇ４の最大有効径ΦＧ４は３９．２ｍｍであり、コンパクトな設計となっている。